(57)【要約】【課題】有効期限を延長して視聴を可能にするメモリカード及びデジタルコンテンツシステムを提供する。【解決手段】メモリカード１は、セキュアな領域にデジタルコンテンツの貸出期限を記憶する期限記憶部１５ａと、デジタルコンテンツの視聴の開始指示を受け付けたことに応じて、現在日時が貸出期限を超過しているか否かを判定する貸出期限判定部１６ａと、貸出期限判定部１６ａにより貸出期限を超過していると判定された場合に、所定の条件を満たすことで貸出期限を延長更新する期限更新部１６ｂと、貸出期限判定部１６ａにより現在日時が貸出期限の範囲内であると判定された場合及び期限更新部１６ｂにより貸出期限が延長更新された場合に、デジタルコンテンツの視聴を許可する視聴許可部１６ｃと、を備える。【選択図】図１
2012003446.tif 000002
【特許請求の範囲】
【請求項１】
セキュアな領域にデジタルコンテンツの貸出期限を記憶する期限記憶手段と、
前記デジタルコンテンツの視聴の開始指示を受け付けたことに応じて、現在日時が前記貸出期限を超過しているか否かを判定する貸出期限判定手段と、
前記貸出期限判定手段により前記貸出期限を超過していると判定された場合に、所定の条件を満たすことで前記貸出期限を延長更新する期限更新手段と、
前記貸出期限判定手段により現在日時が前記貸出期限の範囲内であると判定された場合及び前記期限更新手段により前記貸出期限が延長更新された場合に、前記デジタルコンテンツの視聴を許可する視聴許可手段と、
を備えるメモリカード。
【請求項２】
請求項１に記載のメモリカードにおいて、
セキュアな領域に前記デジタルコンテンツの視聴状況に関する視聴情報を記憶する視聴記憶手段を備え、
前記期限更新手段は、前記視聴記憶手段の前記視聴情報が未視聴である場合に、前記貸出期限を延長更新すること、
を特徴とするメモリカード。
【請求項３】
請求項２に記載のメモリカードにおいて、
前記視聴記憶手段は、前記デジタルコンテンツの前記視聴情報を前記デジタルコンテンツのチャプタごとに記憶すること、
を特徴とするメモリカード。
【請求項４】
請求項１から請求項３までのいずれか１項に記載のメモリカードにおいて、
前記期限更新手段は、前記デジタルコンテンツの視聴に関する課金がされた場合に、前記貸出期限を延長更新すること、
を特徴とするメモリカード。
【請求項５】
請求項１から請求項４までのいずれか１項に記載のメモリカードと、前記メモリカードを読み取る通信端末と、前記貸出期限を管理する管理サーバと、を備えるデジタルコンテンツシステムであって、
前記メモリカードは、前記セキュアな領域に前記メモリカードのユーザである会員を特定する会員情報を記憶する会員情報記憶手段を備え、
前記通信端末は、
前記メモリカードに対する視聴要求の回答として、前記貸出期限を超過している場合に、期限超過している旨の超過情報を、前記会員情報と共に前記メモリカードから取得する超過情報取得手段と、
前記超過情報取得手段により前記超過情報を取得したことに応じて、前記管理サーバに対して前記デジタルコンテンツの貸出期限の延長を前記会員情報と共に申請する延長申請手段と、
前記管理サーバから前記貸出期限の延長更新を許可する更新情報を受信したことに応じて、前記貸出期限の延長更新を前記メモリカードに対して許可する更新許可手段と、
を備え、
前記管理サーバは、
前記延長申請手段による申請に基づいて、会員情報を照合する会員照合手段と、
前記会員照合手段により照合された場合に、前記更新情報を前記通信端末に対して送信する更新情報送信手段と、
を備え、
前記メモリカードの前記期限更新手段は、前記通信端末の前記更新許可手段による許可に基づいて前記貸出期限を延長更新すること、
を特徴とするデジタルコンテンツシステム。
【発明の詳細な説明】
【技術分野】
【０００１】
本発明は、メモリカード及びメモリカードを利用したデジタルコンテンツシステムに関する。
【背景技術】
【０００２】
従来、物品に代えて、通信ネットワーク環境を利用した電子データのレンタルサービスが広く行われるようになっている。このような状況下において、著作権管理のため、時間を正確に管理して電子データであるデジタルコンテンツの視聴を制御する機能を搭載したメモリカードが開発されている。例えば、メモリカードの内部に、時間を計測できる時刻計測部を実装して、メモリカードの内部で常時、データの有効期限等の時間管理を行うメモリカードが提案されている（例えば、特許文献１）。
【先行技術文献】
【特許文献】
【０００３】
【特許文献１】特開２００５−６３０７９号公報
【発明の概要】
【発明が解決しようとする課題】
【０００４】
しかし、特許文献１に記載のメモリカードを実際にレンタルサービスに適用すると、有効期限が到来した時点で、未視聴であったり、途中までしか視聴していなかったりするデジタルコンテンツを見ることができなかった。よって、このサービスは、利用者にとって、利用しにくいものになっていた。また、このサービスは、サービス提供者にとってもサービス向上という観点から十分なものではなかった。
【０００５】
そこで、本発明は、有効期限が到来した場合であっても、有効期限を延長して視聴を可能にするメモリカード及びデジタルコンテンツシステムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
請求項１の発明は、セキュアな領域にデジタルコンテンツの貸出期限を記憶する期限記憶手段（１５，１５−２）と、前記デジタルコンテンツの視聴の開始指示を受け付けたことに応じて、現在日時が前記貸出期限を超過しているか否かを判定する貸出期限判定手段（１６，１６−２）と、前記貸出期限判定手段により前記貸出期限を超過していると判定された場合に、所定の条件を満たすことで前記貸出期限を延長更新する期限更新手段（１６，１６−２）と、前記貸出期限判定手段により現在日時が前記貸出期限の範囲内であると判定された場合及び前記期限更新手段により前記貸出期限が延長更新された場合に、前記デジタルコンテンツの視聴を許可する視聴許可手段（１６，１６−２）と、を備えるメモリカード（１，１−２）である。
請求項２の発明は、請求項１に記載のメモリカード（１，１−２）において、セキュアな領域に前記デジタルコンテンツの視聴状況に関する視聴情報を記憶する視聴記憶手段（１５，１５−２）を備え、前記期限更新手段は、前記視聴記憶手段の前記視聴情報が未視聴である場合に、前記貸出期限を延長更新すること、を特徴とするメモリカードである。
請求項３の発明は、請求項２に記載のメモリカード（１−２）において、前記視聴記憶手段（１５−２）は、前記デジタルコンテンツの前記視聴情報を前記デジタルコンテンツのチャプタごとに記憶すること、を特徴とするメモリカードである。
請求項４の発明は、請求項１から請求項３までのいずれか１項に記載のメモリカード（１，１−２）において、前記期限更新手段（１６，１６−２）は、前記デジタルコンテンツの視聴に関する課金がされた場合に、前記貸出期限を延長更新すること、を特徴とするメモリカードである。
【０００８】
請求項５の発明は、請求項１から請求項４までのいずれか１項に記載のメモリカード（１，１−２）と、前記メモリカードを読み取る通信端末（２）と、前記貸出期限を管理する管理サーバ（３）と、を備えるデジタルコンテンツシステム（１００，１００−２）であって、前記メモリカードは、前記セキュアな領域に前記メモリカードのユーザである会員を特定する会員情報を記憶する会員情報記憶手段（１５−２）を備え、前記通信端末は、前記メモリカードに対する視聴要求の回答として、前記貸出期限を超過している場合に、期限超過している旨の超過情報を、前記会員情報と共に前記メモリカードから取得する超過情報取得手段（２０）と、前記超過情報取得手段により前記超過情報を取得したことに応じて、前記管理サーバに対して前記デジタルコンテンツの貸出期限の延長を前記会員情報と共に申請する延長申請手段（２０）と、前記管理サーバから前記貸出期限の延長更新を許可する更新情報を受信したことに応じて、前記貸出期限の延長更新を前記メモリカードに対して許可する更新許可手段（２０）と、を備え、前記管理サーバは、前記延長申請手段による申請に基づいて、会員情報を照合する会員照合手段（３０）と、前記会員照合手段により照合された場合に、前記更新情報を前記通信端末に対して送信する更新情報送信手段（３０）と、を備え、前記メモリカードの前記期限更新手段（１６，１６−２）は、前記通信端末の前記更新許可手段による許可に基づいて前記貸出期限を延長更新すること、を特徴とするデジタルコンテンツシステムである。
なお、符号を付して説明した構成は、適宜改良してもよく、また、少なくとも一部を他の構成物に代替してもよい。
【発明の効果】
【０００９】
本発明によれば、以下の効果を奏することができる。
（１）本発明は、メモリカードがセキュアな領域にデジタルコンテンツの貸出期限を記憶し、貸出期限を超過していると判定された場合に、所定の条件を満たすことで貸出期限を延長更新してデジタルコンテンツの視聴を許可する。よって、メモリカードによって、有効期限が到来した場合であっても、有効期限を延長して視聴を可能にできる。その結果として、ユーザは、再度初めからレンタル処理をする手間を省くことができる。
また、本発明は、メモリカードがセキュアな領域にデジタルコンテンツの貸出期限を記憶するので、貸出期限の不正な改ざん等を防ぐことができる。
【００１０】
（２）本発明は、視聴情報が未視聴である場合に、貸出期限を延長更新するので、未視聴のデジタルコンテンツの視聴をユーザに促すことができる。
（３）本発明は、デジタルコンテンツの視聴情報をデジタルコンテンツのチャプタごとに記憶するので、チャプタ単位で未視聴のデジタルコンテンツの視聴をユーザに促すことができる。
（４）本発明は、デジタルコンテンツの視聴に関する課金がされた場合に、貸出期限を延長更新する。よって、例えば、貸出期限の延長時のデジタルコンテンツの視聴に関する課金を、デジタルコンテンツのダウンロード時の課金に比較して低額にすることで、デジタルコンテンツの視聴をユーザに促すと共に、サービス提供者側も、貸出期限を延長するだけで収益を得ることができる。
【００１１】
（５）本発明は、通信端末を介して管理サーバに対して貸出期限を延長申請することで、デジタルコンテンツの貸出期限を延長更新できる。よって、ユーザは、店舗等に足を運ぶことなく通信端末を操作するだけで、延長更新して、デジタルコンテンツを視聴するというデジタルコンテンツの視聴に関する一連の処理を実現できる。
【図面の簡単な説明】
【００１２】
【図１】第１実施形態に係るデジタルコンテンツシステムの全体構成並びにメモリカード及び通信端末の機能構成を示す図である。
【図２】第１実施形態に係るメモリカードのセキュアチップ部のセキュアな領域に記憶されたデータの例及び管理サーバの記憶部に記憶された会員データの例を示す図である。
【図３】第１実施形態に係るデジタルコンテンツ貸出処理のフローチャートである。
【図４】第１実施形態に係る貸出端末が表示する画面例を示す図である。
【図５】第１実施形態に係る貸出端末が表示する画面例を示す図である。
【図６】第１実施形態に係るデジタルコンテンツ視聴処理のフローチャートである。
【図７】図６の続きのフローチャートである。
【図８】第１実施形態に係る通信端末の表示部が表示する画面例を示す図である。
【図９】第２実施形態に係るデジタルコンテンツシステムで使用するメモリカードの機能構成及びセキュアチップ部に記憶された期限管理テーブルの例を示す図である。
【図１０】第２実施形態に係る通信端末の表示部が表示する画面例を示す図である。
【図１１】変形形態に係る通信端末の表示部に表示する画面例を示す図である。
【発明を実施するための形態】
【００１３】
以下、本発明を実施するための形態について、図を参照しながら説明する。なお、これは、あくまでも一例であって、本発明の技術的範囲はこれに限られるものではない。
【００１４】
（第１実施形態）
図１は、第１実施形態に係るデジタルコンテンツシステム１００の全体構成並びにメモリカード１及び通信端末２の機能構成を示す図である。図２は、第１実施形態に係るメモリカード１のセキュアチップ部１４のセキュアな領域に記憶されたデータの例及び管理サーバ３の記憶部３２に記憶された会員データの例を示す図である。
【００１５】
図１に示すように、デジタルコンテンツシステム１００は、メモリカード１と、通信端末２と、管理サーバ３と、貸出端末４と、通信ネットワークＮとを備えている。通信端末２と、管理サーバ３と、貸出端末４とは、通信ネットワークＮを介して通信可能に接続されている。
【００１６】
メモリカード１は、デジタルコンテンツの貸出時には、貸出端末４に挿入することでデジタルコンテンツを記憶し、デジタルコンテンツの視聴時には、通信端末２に挿入することで通信端末２を用いてデジタルコンテンツを視聴可能な、ＩＣカードである。メモリカード１は、例えば、ＳＤメモリカードである。ここで、デジタルコンテンツとは、デジタルデータで表現された文章、音楽、画像、映像、データベース、又はそれらを組み合わせた情報の集合をいい、例えば、映画等の動画データをいう。
メモリカード１は、制御部１０と、記憶部１２と、セキュアチップ部１４と、通信部１８とを備える。
【００１７】
制御部１０は、ＣＰＵ（中央処理装置）等を備える制御装置である。制御部１０は、例えば、通信端末２、貸出端末４からの各命令、情報等を、記憶部１２、セキュアチップ部１４に振り分けたり、記憶部１２、セキュアチップ部１４の制御部１６（後述する）からの各命令、情報等を、通信端末２、貸出端末４に振り分けて送信する。
【００１８】
記憶部１２は、制御部１０が各種の処理を実行する上において必要なプログラムやデータ等を適宜記憶するようになされている。記憶部１２は、大容量のメモリ領域であり、デジタルコンテンツ記憶部１２ａを備える。
デジタルコンテンツ記憶部１２ａは、例えば、ＧＢ（ギガバイト）単位の記憶領域であり、容量の比較的大きなデジタルコンテンツを複数記憶することが可能な記憶領域である。
【００１９】
セキュアチップ部１４は、セキュアなデバイスであり、ＩＣチップの機能を有する。セキュアチップ部１４は、記憶部１５と、制御部１６とを備える。
記憶部１５は、ＲＡＭ、ＲＯＭ、ＥＥＰＲＯＭ等を備える記憶装置である。ＲＡＭは、記憶しているデータの書き換えが可能な揮発性のメモリである。ＲＯＭは、不揮発性の読み出し専用メモリである。ＥＥＰＲＯＭは、書き換え可能な不揮発性メモリであって、ＣＰＵが実行するプログラム、プログラムの実行に必要なデータを記憶している。
記憶部１５は、期限記憶手段としての期限記憶部１５ａと、視聴記憶手段としての視聴記憶部１５ｂと、会員情報記憶手段としての会員情報記憶部１５ｃとを備える。
【００２０】
図２（ａ）は、セキュアチップ部１４のセキュアな領域に記憶された期限管理テーブル及び会員情報記憶部１５ｃの一例である。期限管理テーブルは、デジタルコンテンツを一意に特定するコンテンツＩＤと、コンテンツＩＤにより特定されるデジタルコンテンツのコンテンツ名と、視聴済であるか否かを示す視聴記憶部１５ｂと、貸出期限を示す期限記憶部１５ａとを対応付けて記憶する。なお、図中の視聴記憶部１５ｂの「○」は、視聴済であることを示す。
会員情報記憶部１５ｃは、メモリカードのユーザであって、デジタルコンテンツサービスを利用する会員を特定する会員情報である会員番号を記憶する。
【００２１】
図１に戻り、制御部１６は、ＣＰＵ等を備え、ＲＯＭ、ＥＥＰＲＯＭに記憶されているプログラムをＲＡＭに展開して実行する制御装置である。制御部１６は、制御部１０を介して通信端末２、貸出端末４からの各命令、情報等を受信したり、制御部１０を介して各命令、情報等を、通信端末２、貸出端末４に振り分けて送信する。
制御部１６は、貸出期限判定手段としての貸出期限判定部１６ａ、期限更新手段としての期限更新部１６ｂと、視聴許可手段としての視聴許可部１６ｃとを備える。
【００２２】
貸出期限判定部１６ａは、現在日時がデジタルコンテンツの貸出期限を超過しているか否かを判定する制御部である。なお、現在日時は、メモリカード１のセキュアチップ部１４にタイマ部を備えて取得してもよいし、管理サーバ３から取得してもよい。
期限更新部１６ｂは、貸出期限を超過している場合に、所定の条件下で貸出期限を延長更新する制御部である。
視聴許可部１６ｃは、デジタルコンテンツの視聴を許可する制御部である。
【００２３】
通信部１８は、通信端末２や貸出端末４に対して通信を行うためのインタフェースである。通信部１８は、通信端末２や貸出端末４等の外部装置から電源の供給を受け、接触通信を行う。
【００２４】
通信端末２は、メモリカード１に記憶されたデジタルコンテンツを視聴するための装置である。通信端末２は、例えば、パーソナルコンピュータ（ＰＣ）、携帯電話機、モバイルＰＣ、カーナビ（カーナビゲーションシステム）の端末等である。
通信端末２は、制御部２０と、記憶部２２と、カード挿入部２３と、表示部２５と、入力部２６と、通信部２８とを備える。
【００２５】
制御部２０は、記憶部２２に記憶されているＯＳやアプリケーションプログラムに従って各種の処理を実行するＣＰＵである。
制御部２０は、これらのプログラムを実行することによって、超過情報取得手段としての超過情報取得部２０ａと、延長申請手段としての延長申請部２０ｂと、更新許可手段としての更新許可部２０ｃとを実現する。
【００２６】
超過情報取得部２０ａは、メモリカード１に対するデジタルコンテンツの視聴要求の回答として、メモリカード１から貸出期限を超過している旨の超過情報と、会員番号とを取得する制御部である。
延長申請部２０ｂは、管理サーバ３に対して貸出期限の延長を申請する制御部である。
更新許可部２０ｃは、デジタルコンテンツの貸出期限の延長の申請に対する管理サーバ３からの回答として、メモリカード１に対して貸出期限の延長更新を許可する制御部である。
【００２７】
記憶部２２は、ＲＯＭ、ＲＡＭ等のメモリ領域であり、制御部２０が各種の処理を実行する上において必要なプログラムやデータ等を適宜記憶するようになされている。
カード挿入部２３は、メモリカード１を挿入するためのインタフェースである。カード挿入部２３は、メモリカード１の接触端子と接触して電気的に導通し、制御部２０及びメモリカード１間の通信を媒介する。
【００２８】
表示部２５は、例えば、ＣＲＴやＬＣＤ等により構成され、文字や画像等の表示を行うようになされている。
入力部２６は、例えば、キーボードやマウス等により構成され、ユーザからの各種の指令、その他必要な情報等を入力するときにユーザにより操作される。
通信部２８は、通信ネットワークＮに対して接続され、管理サーバ３との通信を行うためのインタフェースである。
【００２９】
管理サーバ３は、会員情報やデジタルコンテンツの貸出期限を管理するサーバである。管理サーバ３は、制御部３０と、記憶部３２と、通信部３８とを備える。
制御部３０は、管理サーバ３の全体を制御するＣＰＵである。制御部３０は、会員照合手段を備える。
【００３０】
記憶部３２は、制御部３０を実行するための各種プログラム等を記憶する記憶領域である。記憶部３２は、会員情報や、デジタルコンテンツの貸出期限を記憶している。
図２（ｂ）は、記憶部３２に記憶された会員データの一例を示す図である。会員データは、会員番号をキーとして、会員に関する情報を記憶している。
図１に戻り、通信部３８は、通信ネットワークＮに対して接続され、通信端末２や貸出端末４との通信を行うためのインタフェースである。
【００３１】
貸出端末４は、デジタルコンテンツを貸出する際に使用する端末である。貸出端末４は、例えば、レンタルサービスを行う店舗やコンビニ等に設置されているキオスク端末である。貸出端末４は、メモリカード１の挿入部を有して、メモリカード１に対してデジタルコンテンツを送信することで、メモリカード１は、貸出端末４からデジタルコンテンツや貸出期限を受信して記憶する。
【００３２】
通信ネットワークＮは、例えば、インターネット回線を示す。通信ネットワークＮは、その一部が無線通信をするものであってもよい。
【００３３】
次に、本実施形態を説明するための前提として、デジタルコンテンツの貸出処理について説明する。図３は、第１実施形態に係るデジタルコンテンツ貸出処理のフローチャートである。図４及び図５は、第１実施形態に係る貸出端末４が表示する画面例を示す図である。
【００３４】
まず、前提として、メモリカード１には、既に会員情報が書き込まれているものとする。会員情報の書き込みは、例えば、購入してデータが何も入っていないメモリカード１をデジタルコンテンツのレンタルサービス店にユーザが持参して、図示しない店舗入力端末に対してメモリカード１を挿入することで行うことができる。会員情報は、例えば、管理サーバ３の記憶部３２に記憶された会員データ（図２（ｂ）参照）の１レコード分の情報であり、会員番号の他、店舗ＩＤや入会日等を含む。
【００３５】
図３のステップＳ１１において、会員情報が書き込まれたメモリカード１をユーザが持参して貸出端末４に挿入することで、貸出端末４は、メモリカード１を受け付ける。
ステップＳ１２において、貸出端末４の制御部は、会員情報の照合を行う。会員情報の照合は、貸出端末４の制御部がメモリカード１から会員情報を取得して、例えば、管理サーバ３に記憶された会員データを参照することで、照合を行うことができる。
【００３６】
ステップＳ１３において、貸出端末４の制御部は、ユーザにより選択された、ユーザが視聴したいデジタルコンテンツを表示する。そして、貸出端末４の制御部は、デジタルコンテンツのダウンロードの指示を受け付ける。図４（ａ）は、デジタルコンテンツの選択画面の一例を示す。図４（ｂ）は、デジタルコンテンツのダウンロードの指示画面の一例を示す。
【００３７】
図３に戻り、ステップＳ１４において、貸出端末４の制御部は、データ容量の確認処理を行う。例えば、貸出端末４の制御部は、データ容量が不足している場合には、図５に示すメモリカード１のデータ容量画面を表示させることで、ユーザに不要なデータの削除を促して、ダウンロードをしたいデジタルコンテンツの容量を確保する。
【００３８】
図３に戻り、ステップＳ１５において、貸出端末４の制御部は、デジタルコンテンツをメモリカード１にダウンロードする。そうすることで、メモリカード１のデジタルコンテンツ記憶部１２ａは、ユーザが選択したデジタルコンテンツを記憶する。その際、メモリカード１の制御部１０は、デジタルコンテンツ記憶部１２ａにダウンロードされたデジタルコンテンツに関する管理期限データを、セキュアチップ部１４に送信することで、セキュアチップ部１４は、管理期限データを管理期限テーブルに記憶する。
ステップＳ１６において、ユーザがメモリカード１を貸出端末４から取り出すことで、貸出端末４の制御部は、本処理を終了する。
【００３９】
なお、ユーザによる視聴したいデジタルコンテンツの選択は、例えば、貸出端末４がデジタルコンテンツのジャンル等を画面に表示して順番に進めていくことで、ユーザが画面から選択してもよい。また、デジタルコンテンツのタイトルや内容、コンテンツＩＤを含むバーコードを表示したカード状のものをデジタルコンテンツのレンタルサービスを行う店舗に陳列して、ユーザがそのカードを貸出端末４に持っていき、バーコードを貸出端末４に読み取らせることで選択してもよい。ユーザが画面から選択する貸出方法では、ユーザが興味をもつジャンルから選択していくことで、全てを貸出端末４によって処理することができ、省スペース化が図れ、店舗をデジタルコンテンツのレンタルサービスを行う店舗に特定しないメリットがある。また、カードによる貸出方法では、ユーザが手にとってそのデジタルコンテンツの内容を見ることができ、かつ、ＤＶＤやビデオ以上に設置スペースの省力化を図ることができる。
【００４０】
また、本実施形態では、貸出端末４を用いてデジタルコンテンツの貸出処理を行うものを説明したが、メモリカード１に会員情報を読み込ませた店舗入力端末に貸出端末４の機能を持たせて、店舗入力端末によって貸出処理を行ってもよい。
【００４１】
次に、デジタルコンテンツの視聴処理について説明する。図６及び図７は、第１実施形態に係るデジタルコンテンツ視聴処理のフローチャートである。図８は、第１実施形態に係る通信端末２の表示部２５が表示する画面例を示す図である。
【００４２】
まず、図６のステップＳ２１において、ユーザがメモリカード１を通信端末２のカード挿入部２３に挿入することで、通信端末２の制御部２０は、メモリカード１を受け付ける。
ステップＳ２２において、制御部２０は、デジタルコンテンツを視聴するためのビューアであるソフトウェアを起動する。
【００４３】
ステップＳ２３において、制御部２０は、入力部２６を介してデジタルコンテンツの視聴の開始指示を受け付けることで、メモリカード１に対してデジタルコンテンツの開始指示を送信する。
ステップＳ２４において、メモリカード１のセキュアチップ部１４の貸出期限判定部１６ａは、開始指示を受け付けたデジタルコンテンツの貸出期限を参照して、現在日時が貸出期限を超過しているか否かを判定する。貸出期限を超過している場合（ステップＳ２４：ＹＥＳ）には、貸出期限判定部１６ａは、処理をステップＳ２５に移す。他方、貸出期限の範囲内である場合（ステップＳ２４：ＮＯ）には、貸出期限判定部１６ａは、処理を図７のステップＳ３２に移す。
【００４４】
ステップＳ２５において、セキュアチップ部１４の期限更新部１６ｂは、記憶部１５を参照して、該当のデジタルコンテンツが未視聴であるか否かを判定する。具体的には、期限更新部１６ｂは、図２（ａ）の期限管理テーブルの視聴記憶部１５ｂの内容によって判定する。未視聴である場合（ステップＳ２５：ＹＥＳ）には、期限更新部１６ｂは、処理をステップＳ２６に移す。他方、視聴済である場合（ステップＳ２５：ＮＯ）には、期限更新部１６ｂは、視聴済であって貸出期限が超過している旨を通信端末２に対して送信することで、通信端末２の制御部２０は、表示部２５に貸出期限が超過している旨を表示して、本処理を終了する。
例えば、図２（ａ）の例であれば、「映画ＡＢＣ」は、視聴済であるので、ステップＳ２５の判定はＮＯであり、「映画ＸＹＺ」は、未視聴であるので、ステップＳ２５の判定はＹＥＳである。
【００４５】
ステップＳ２６において、期限更新部１６ｂは、貸出期限が超過している旨を通信端末２に対して送信することで、通信端末２の制御部２０（超過情報取得部２０ａ）は、超過情報を取得する。
ステップＳ２７において、制御部２０（延長申請部２０ｂ）は、管理サーバ３に対して貸出期限の延長を申請する。
【００４６】
図８は、通信端末２の表示部２５に表示された貸出期限の延長を申請するための画面例を示す図である。通信端末２において、ユーザが既に貸出期限を超過しているが未視聴であるデジタルコンテンツの視聴を要求した場合に、ユーザは、延長期間を選択することができる。このような、貸出期限を延長する場合には、最初に貸出処理を行った場合に比べてレンタルに係る費用を安価にすることで、ユーザに対してダウンロードしたデジタルコンテンツの視聴を促進させ、サービス提供者は、レンタル料を取得することができる。
【００４７】
図７のステップＳ２８において、管理サーバ３の制御部３０は、貸出期限の延長の申請に基づいて会員情報の照合を行う。
ステップＳ２９において、制御部３０は、会員情報の照合が行われた場合に、更新情報を通信端末２に対して送信することで、通信端末２の制御部２０は、管理サーバ３から更新情報を受信する。その際、制御部３０は、貸出期限の延長に係る課金処理を行う。
このように、デジタルコンテンツシステム１００は、デジタルコンテンツの視聴に関する課金がされた場合に、貸出期限を延長更新する。よって、例えば、貸出期限の延長時のデジタルコンテンツの視聴に関する課金を、デジタルコンテンツのダウンロード時の課金に比較して低額にすることで、デジタルコンテンツの視聴をユーザに促すと共に、サービス提供者側も、貸出期限を延長するだけで収益を得ることができる。
【００４８】
ステップＳ３０において、通信端末２の制御部２０（更新許可部２０ｃ）は、貸出期限の延長更新をメモリカード１に対して許可する。
ステップＳ３１において、メモリカード１の期限更新部１６ｂは、貸出期限を延長更新する。具体的には、期限更新部１６ｂは、セキュアチップ部１４に記憶された期限記憶部１５ａの期限を更新する。
【００４９】
ステップＳ３２において、視聴許可部１６ｃは、該当のデジタルコンテンツの視聴を許可して、デジタルコンテンツ記憶部１２ａに記憶された該当のデジタルコンテンツを視聴可能にする。
ステップＳ３３において、制御部２０は、表示部２５にデジタルコンテンツを表示させることで、視聴を開始し、セキュアチップ部１４の制御部１６は、セキュアチップ部１４に記憶された視聴記憶部１５ｂの当該視聴を開始したデジタルコンテンツを視聴済に更新する。その後、制御部１６は、本処理を終了する。
【００５０】
このように、メモリカード１は、セキュアな領域であるセキュアチップ部１４にデジタルコンテンツの貸出期限を記憶し、貸出期限を超過していると判定された場合に、所定の条件を満たすことで貸出期限を延長更新してデジタルコンテンツの視聴を許可する。よって、メモリカード１がセキュアな領域にデジタルコンテンツの貸出期限を記憶するので、貸出期限の不正な改ざん等を防ぐことができる。また、メモリカード１によって、有効期限が到来した場合であっても、有効期限を延長して視聴を可能にできる。その結果として、ユーザは、再度初めからレンタル処理をする手間を省くことができる。
また、デジタルコンテンツシステム１００は、デジタルコンテンツが未視聴である場合に貸出期限を延長更新するので、未視聴のデジタルコンテンツの視聴をユーザに促すことができる。
【００５１】
（第２実施形態）
第１実施形態では、デジタルコンテンツごとに貸出期限を延長するものを説明した。第２実施形態では、１つのデジタルコンテンツに対して、複数のチャプタを有していて、デジタルコンテンツのチャプタごとに貸出期限を延長するものを説明する。なお、以降の説明において、上述した第１実施形態と同様の機能を果たす部分には、同一の符号又は末尾に同一の符号を付して、重複する説明を適宜省略する。
【００５２】
図９は、第２実施形態に係るデジタルコンテンツシステム１００−２で使用するメモリカード１−２の機能構成及びセキュアチップ部１４−２に記憶された期限管理テーブルの例を示す図である。
【００５３】
図９（ａ）に示すメモリカード１−２は、制御部１０と、記憶部１２と、セキュアチップ部１４−２と、通信部１８とを備える。
セキュアチップ部１４−２は、記憶部１５−２と、制御部１６−２とを備える。
記憶部１５−２は、図９（ｂ）に示すように、デジタルコンテンツのチャプタごとに、期限記憶部１５ａ−２と、視聴記憶部１５ｂ−２とを備える。
制御部１６−２は、デジタルコンテンツのチャプタごとに貸出期限を超過しており、かつ未視聴であるか否かを判定して、デジタルコンテンツのチャプタごとに貸出期限の延長更新を行う制御部である。制御部１６−２は、貸出期限判定部１６ａ−２と、期限更新部１６ｂ−２と、視聴許可部１６ｃ−２とを備える。
【００５４】
図１０は、第２実施形態に係る通信端末２の表示部２５が表示する画面例を示す図である。この画面例は、デジタルコンテンツシステム１００−２での貸出期限の延長を申請するために用いられる。通信端末２において、ユーザが既に貸出期限を超過しているが未視聴であるデジタルコンテンツの視聴を要求した場合に、ユーザは、デジタルコンテンツのチャプタごとに延長期間を選択することができる。ユーザが図１０の画面でチャプタを選択後、「次へ」を選択することで、通信端末２は、図８に示す画面を表示して、貸出期限の延長申請を行うことができる。
【００５５】
このように、デジタルコンテンツシステム１００−２は、デジタルコンテンツの視聴情報をデジタルコンテンツのチャプタごとに記憶するので、チャプタ単位で未視聴のデジタルコンテンツの視聴をユーザに促すことができる。
【００５６】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５７】
（変形形態）
（１）各実施形態では、デジタルコンテンツの視聴の開始指示を受け付けた場合に、貸出期限が現在日時を超過しているか否か、及び未視聴であるか否かを判定して、貸出期限が超過しており、かつ未視聴である場合に貸出期限の延長申請を行うことが可能なものとして説明した。しかし、図６のステップＳ２２の後に、通信端末２の制御部２０は、例えば、図１１に示すような、メモリカード１に記憶されたデジタルコンテンツの一覧の画面を通信端末２の表示部２５に表示してもよい。そして、タイトルが「Ａ８」のデジタルコンテンツは、貸出期限が超過しているにも関わらず、視聴を可能にするボタンを表示している。これは、タイトルが「Ａ８」のデジタルコンテンツが、貸出期限が超過しており、かつ未視聴のデジタルコンテンツであることによる。このような場合には、デジタルコンテンツの一覧の該当のデジタルコンテンツに、視聴を可能にするボタンを表示して、視聴ボタンが選択された場合に、通信端末２が貸出期限の延長申請を管理サーバ３に対して行うようにしてもよい。このようにすることで、メモリカード１に複数のデジタルコンテンツを記憶している場合に、視聴の可否をわかりやすく表示できるので、ユーザの利便性を向上させることができる。
【００５８】
（２）各実施形態では、メモリカードをカード挿入部に挿入して読み取る接触型のカードとしての例を説明したが、非接触型であってもよい。
（３）第２実施形態では、デジタルコンテンツのチャプタごとに貸出期限を延長するものを説明したが、これに限られない。セキュアチップ部にデジタルコンテンツの全視聴時間と、実際に視聴した時間とを記憶して、未視聴分を時間単位で取得して貸出期限を延長するものであってもよい。
【符号の説明】
【００５９】
１，１−２  メモリカード
２      通信端末
３      管理サーバ
４      貸出端末
１０，２０，３０  制御部
１２，２２，３２  記憶部
１４，１４−２  セキュアチップ部
１８，２８，３８  通信部
２３    カード挿入部
２５    表示部
２６    入力部
１００，１００−２  デジタルコンテンツシステム
Ｎ      通信ネットワーク
【図１】
2012003446.tif 000003
【図２】
2012003446.tif 000004
【図３】
2012003446.tif 000005
【図４】
2012003446.tif 000006
【図５】
2012003446.tif 000007
【図６】
2012003446.tif 000008
【図７】
2012003446.tif 000009
【図８】
2012003446.tif 000010
【図９】
2012003446.tif 000011
【図１０】
2012003446.tif 000012
【図１１】
2012003446.tif 000013